(57)【特許請求の範囲】
【請求項１】
塵芥収集車の車体フレーム上に、後壁に塵芥積込口を有する塵芥収容箱が搭載され、該塵芥収容箱の塵芥積込口に塵芥投入箱が連設されており、該塵芥投入箱は、上記塵芥収容箱の後面上端の枢軸を支点にして前後方向に揺動自在に支持されているとともに、塵芥投入箱の投入口から底部に投入された塵芥を塵芥積込装置により上記塵芥積込口を介して上記塵芥収容箱に積み込むように構成された塵芥収集車において、
上記塵芥投入箱の前面上部には、その塵芥投入箱の揺動時に塵芥収容箱側との干渉を回避するための開口部が設けられており、
上記塵芥収容箱の上縁部には、上記開口部を開閉するための蓋板が前後方向に回動自在に設けられ、該蓋板は、塵芥の積み込み時に塵芥投入箱の前面との当接により上記開口部を閉塞し、塵芥投入箱の後方への揺動時に塵芥投入箱の前面からの前方への離反により該開口部を開放するようになっており、
上記蓋板は、上記塵芥投入箱の後方への揺動時にその揺動動作と連動して後方へ回動するように付勢手段により付勢され、この付勢手段の付勢力は、蓋板を塵芥投入箱の揺動動作途中位置まで回動させた時点で停止させるように設定されていることを特徴とする塵芥収集車。
【請求項２】
上記開口部は、上記蓋板により開閉される下側部分と、該下側部分の上側に設けられ、蓋板の回動時に塵芥投入箱側との干渉を回避する上側部分とを備えており、
上記上側部分には、塵芥投入箱の揺動時に塵芥収容箱側および蓋板側と干渉しない上側部分の非干渉部分を遮蔽する補助板が設けられている請求項１記載の塵芥収集車。
【請求項３】
塵芥収集車の車体フレーム上に、後壁に塵芥積込口を有する塵芥収容箱が搭載され、該塵芥収容箱の塵芥積込口に塵芥投入箱が連設されており、該塵芥投入箱は、上記塵芥収容箱の後面上端の枢軸を支点にして前後方向に揺動自在に支持されているとともに、塵芥投入箱の投入口から底部に投入された塵芥を塵芥積込装置により上記塵芥積込口を介して上記塵芥収容箱に積み込むように構成された塵芥収集車において、
上記塵芥投入箱の前面上部には、その塵芥投入箱の揺動時に塵芥収容箱側との干渉を防止するための開口部が設けられており、
該開口部には、塵芥投入箱の揺動時に塵芥収容箱側と干渉しない開口部の非干渉部分を遮蔽する補助板が設けられていることを特徴とする塵芥収集車。
【発明の詳細な説明】
【０００１】
【発明の属する技術分野】
本発明は、塵芥収集車において塵芥投入箱の投入口から投入された塵芥を塵芥収容箱に積み込むときにその塵芥の塵芥投入箱内への逆流を効率良く防止するとともに、塵芥投入箱開放時の排出効率の向上を図る対策に係る。
【０００２】
【従来の技術】
一般に、塵芥収集車は、その車体フレーム上に、後壁に塵芥積込口を有する塵芥収容箱が搭載され、該塵芥収容箱の塵芥積込口に塵芥投入箱が連設されており、該塵芥投入箱は、上記塵芥収容箱の後面上端の枢軸を支点にして前後方向に揺動自在に支持されている。そして、この塵芥投入箱の内部に、該塵芥投入箱の左右両側壁に設けられた後方に向かって下方に傾斜する案内溝と、該案内溝に摺動自在に嵌合された摺動板と、該摺動板の下端に前後方向に揺動自在に支持され、先端が前方に向かって屈曲する押込板と、該押込板を案内溝に沿って摺動させる第１シリンダと、上記押込板を前後方向に揺動させる第２シリンダとを備えた塵芥積込装置が収容され、上記塵芥投入箱の投入口から底部に投入された塵芥を上記塵芥積込装置により塵芥積込口を介して塵芥収容箱に圧縮しながら積み込むようにしている。
【０００３】
ところで、塵芥投入箱の前面上部には、その塵芥投入箱の揺動時に塵芥収容箱側との干渉を防止するための開口部を設ける必要がある。しかし、このような開口部のうちの下側部分は、塵芥積込口の上部に背面視でオーバラップすることがあり、その場合には、塵芥積込装置による塵芥収容箱への塵芥積込時の反力によって逆流する塵芥の大半が開口部を介して大量に塵芥投入箱内（塵芥積込装置内）に入り込み、塵芥積込装置の各構成要素に悪影響を及ぼす恐れがある。
【０００４】
そこで、このような問題を解決するために、例えば、実開平５−５４４０５号公報に開示されるように、塵芥投入箱の上縁部に、塵芥積込口の上部に背面視でオーバラップする開口部のオーバラップ部分（下側部分）を塵芥の積み込み時に閉塞しかつ塵芥投入箱の揺動時にその揺動動作と連動して自重により垂下して該下側部分を開放する蓋板を回動自在に支持したものは知られている。そして、開口部の下側部分は、蓋板が塵芥投入箱の前面よりも後側つまり塵芥投入箱の側壁に立設したストッパに当接することで閉塞されるようにしている。この場合、塵芥積込時の逆流による開口部の下側部分を介した大半の塵芥の入り込みが蓋板によって効率良く阻止されてはいるものの、塵芥積込口の上部に背面視でほとんどオーバラップしない開口部の上側部分は、蓋板の回動時に塵芥投入箱側との干渉が回避されるようにそのまま開口させておく必要があるために、塵芥積込時に逆流する塵芥の残り（少量の塵芥）が開口部の上側部分を介して塵芥投入箱内に入り込むことになるが、その塵芥投入箱内に入り込んだ少量の塵芥は、塵芥投入箱の揺動時に開放する蓋板により開口部の下側部分を介して円滑に排出される。
【０００５】
【発明が解決しようとする課題】
ところが、上記従来のものでは、蓋板が塵芥投入箱の前面よりも後側に入り込んで開口部の下側部分を閉塞するので、塵芥投入箱の揺動時に塵芥投入箱と蓋板とが互いに干渉しないように、その蓋板の先端側と開口部の下側部分の下縁との間に隙間を形成する必要がある。そのため、塵芥積込時に逆流する大半の塵芥が隙間に集中し、この大半の塵芥が隙間を介して塵芥投入箱内に容易に入り込むことになる。
【０００６】
また、塵芥投入箱の揺動時に開放する蓋板は、自重による自由垂下に止まるため、塵芥投入箱を揺動させても塵芥積込口の上部が蓋板で遮られ、この蓋板が邪魔となって塵芥収容箱内から塵芥積込口を介して塵芥を円滑に排出できないといった問題もある。
【０００７】
本発明はかかる点に鑑みてなされたもので、その目的とするところは、塵芥積込時の逆流による塵芥投入箱内への大半の塵芥の入り込みを効率良く阻止しかつ塵芥投入箱の揺動時に塵芥収容箱からの塵芥の排出を円滑に行えるようにすることにある。
【０００８】
【課題を解決するための手段】
上記目的を達成するため、請求項１記載の発明が講じた解決手段は、塵芥収集車として、その車体フレーム上に、後壁に塵芥積込口を有する塵芥収容箱が搭載され、該塵芥収容箱の塵芥積込口に塵芥投入箱が連設されており、該塵芥投入箱は、上記塵芥収容箱の後面上端の枢軸を支点にして前後方向に揺動自在に支持されているとともに、塵芥投入箱の投入口から底部に投入された塵芥を塵芥積込装置により上記塵芥積込口を介して上記塵芥収容箱に積み込むように構成されたものを前提とし、上記塵芥投入箱の前面上部に、その塵芥投入箱の揺動時に塵芥収容箱側との干渉を回避するための開口部を設ける。そして、上記塵芥収容箱の上縁部に、上記開口部を開閉するための蓋板を前後方向に回動自在に設け、該蓋板を、塵芥の積み込み時に塵芥投入箱の前面との当接により上記開口部を閉塞し、塵芥投入箱の後方への揺動時に塵芥投入箱の前面からの前方への離反により該開口部を開放するように構成する。さらに、上記蓋板を、上記塵芥投入箱の後方への揺動時にその揺動動作と連動して後方へ回動するように付勢手段により付勢し、この付勢手段の付勢力を、蓋板を塵芥投入箱の揺動動作途中位置まで回動させた時点で停止させるように設定する構成としたものである。
【０００９】
この構成により、請求項１記載の発明では、塵芥の積み込み時に塵芥投入箱の前面に当接させて開口部を閉塞する蓋板を塵芥投入箱の揺動時に塵芥投入箱の前面からの前方への離反により開放するように回動させることで、塵芥投入箱の揺動時に蓋板の先端と開口部の下側部分の下縁との間に隙間を形成する必要がなくなって、塵芥積込時に逆流する大半の塵芥の塵芥投入箱内への入り込みが効率良く阻止される。また、塵芥投入箱の揺動時にその揺動動作と連動して蓋板が付勢手段の付勢力でもって塵芥投入箱の揺動動作途中位置まで回動した時点で停止することから、蓋板が塵芥積込口を遮って邪魔になることはなく、塵芥収容箱内から塵芥積込口を介して塵芥が円滑に排出される一方、塵芥積込時の逆流により開口部の上側部分などを介して塵芥投入箱内に入り込んだ塵芥の残り（少量の塵芥）が塵芥投入箱の揺動時に開放する蓋板により案内されて塵芥投入箱内から円滑に排出される。しかも、固定側となる塵芥収容箱の上縁部に蓋板が回動自在に設けられていることにより、揺動する可動側の塵芥投入箱の上縁部に対して蓋板の回動部（基部）をさらに自由垂下可能な回動状態に支持しなければならないものに比べて、蓋板の回動部の構造が簡単なものとなる。
【００１０】
請求項２記載の発明が講じた解決手段は、請求項１記載の発明の開口部を特定し、蓋板により開閉される下側部分と、該下側部分の上側に設けられ、蓋板の回動時に塵芥投入箱側との干渉を回避する上側部分とを備える。そして、上記上側部分に、塵芥投入箱の揺動時に塵芥収容箱側および蓋板側と干渉しない上側部分の非干渉部分を遮蔽する補助板を設ける構成としたものである。
【００１１】
この構成により、請求項２記載の発明では、塵芥積込時に逆流する塵芥の残りが開口部の上側部分を介して塵芥投入箱内に入り込もうとしても、上側部分の非干渉部分を遮蔽する補助板により阻まれることになり、塵芥積込時の逆流による開口部を介した塵芥投入箱内への塵芥の入り込みが蓋板と相俟ってより効率良く阻止される。しかも、上側部分の非干渉部分に補助板が設けられていることにより、塵芥投入箱の揺動および蓋板の回動が補助板に干渉することなく円滑に行える。
【００１２】
さらに、請求項３記載の発明が講じた解決手段は、請求項１記載の発明の前提とする塵芥収集車を同様に前提とし、塵芥投入箱の前面上部に、その塵芥投入箱の揺動時に塵芥収容箱側との干渉を防止するための開口部を設ける。そして、該開口部に、塵芥投入箱の揺動時に塵芥収容箱側と干渉しない開口部の非干渉部分を遮蔽する補助板を設ける構成としたものである。
【００１３】
この構成により、請求項３記載の発明では、塵芥積込時の逆流により開口部を介して塵芥投入箱内に入り込もうとする塵芥が開口部の非干渉部分を遮蔽する補助板により阻まれて、塵芥投入箱内への塵芥の入り込みが効果的に阻止される。しかも、開口部の非干渉部分に補助板が設けられていることにより、塵芥投入箱が補助板に干渉することなく円滑に揺動する。
【００１４】
【発明の実施の形態】
以下、本発明の実施の形態を図面に基づいて説明する。
【００１５】
図４は本発明の第１の実施の形態に係る４トンタイプの塵芥収集車を示し、この塵芥収集車１の下部左右両位置には前後方向へ延びる車体フレームとしての断面略矩形枠状のシャーシフレーム２（図では一方のみ示す）が設けられ、該シャーシフレーム２上には、断面略矩形枠状のサブフレーム３が設けられている。該サブフレーム３上には、車体後方側に塵芥を積込むための塵芥積込口４ａを開口してなる塵芥収容箱４が搭載されており、さらに、その塵芥収容箱４上端の左右両側端位置に、後方へ突出する内外一対の突片７ａ，７ａ（図２参照）を有してなる収容箱側揺動用ヒンジブラケット７（図では一方のみ示す）が設けられている。また、図２に示すように、上記塵芥投入箱６上端の左右両側端位置には、上方へ突出する内外一対の突片８ａ，８ａを有してなる投入箱側揺動用ヒンジブラケット８（図では一方のみ示す）が設けられている。上記収容箱側揺動用ヒンジブラケット７の突片７ａ先端間には、投入箱側揺動用ヒンジブラケット８の各突片８ａ先端が第１枢軸５を介して回動自在に支持されていて、塵芥投入箱６が塵芥収容箱４に対して揺動自在に連設されるようになっている。そして、上記塵芥投入箱６は、塵芥積込口４ａを閉塞するよう塵芥収容箱４に対して左右一対の固縛装置（図示せず）により固縛されている。
【００１６】
上記塵芥投入箱６は、その車体前方側が開放されて塵芥収容箱４の塵芥積込口４ａに連通されるとともに、後面下部に塵芥を投入する投入口１１が開口され、その下方に塵芥の貯留室１２が形成されており、この塵芥投入箱６内には、塵芥を押し潰して塵芥収容箱４内に積込む圧縮式の塵芥積込装置１３（積込装置）が装備されている。該塵芥積込装置１３は、塵芥投入箱６の左右両側壁に沿って敷設され、車体の後方下部に向って傾斜する溝形鋼よりなる案内溝部材１４（図では一方のみ示す）を備えており、該案内溝部材１４の上端部に上記第１枢軸５が枢支されている。一方、塵芥投入箱６内には、その全幅に亘って形成された昇降板１５が収納されていて、この昇降板１５の上下には、上記案内溝部材１４の内壁に沿って転動自在に嵌合される案内ローラ１６，１６が軸着されている（図中破線で示す部位）。また、昇降板１５の後面上部には第２枢軸１７が軸支されており、この第２枢軸１７は上記案内溝部材１４の後面に沿うとともに、昇降板１５の摺動距離に合致するように塵芥投入箱６の側壁に形成された切欠１８を越えて塵芥投入箱６内側より外側に突出するようになされている。そして、図中破線で示す如く、外側に突出した第２枢軸１７と塵芥投入箱６の下部外側間には、一対の昇降シリンダ１９が案内溝部材１４の傾斜方向に沿って設けられていて、この昇降シリンダ１９の伸縮作動により、上記昇降板１５を案内溝部材１４に沿って往復動させるようになされている。
【００１７】
また、上記昇降板１５の下端には、塵芥投入箱６の幅方向全体に亘って延設された押込板２１が前後に揺動自在に軸支されるとともに、該押込板２１の後面より突出した支持片２２と上記昇降シリンダ１９先端の第２枢軸１７との間には、一対の押込シリンダ２３が連結されていて、該押込シリンダ２３の伸縮作動により、押込板２１をその軸支部２４の回りに前後に揺動させるようになされている。これにより、塵芥投入箱６の投入口１１から貯留室１２（底部）に投入された塵芥は、図４の仮想線（一点鎖線）で示す押込板２１の後方から前方への揺動により掻き集められた後、貯留室１２内の前壁に沿って押込板２１を昇降板１５を介して上方へ移動させることにより、塵芥積込口４ａから塵芥収容箱４内（後述する塵芥収容空間２７ａ内）に積込まれる。
【００１８】
上記塵芥収容箱４は、その横断面全体に亘って設けられた排出板２６によって、上記塵芥積込装置１３から塵芥積込口４ａを介して積み込まれた塵芥を収容する塵芥収容空間２７ａとその前方空間２７ｂとに区画されており、該前方空間２７ｂの下部には、排出板２６を車軸方向に移動させるための排出シリンダ２８が設けられている。該排出シリンダ２８は、その伸長時に排出板２６を塵芥収容箱４の塵芥積込口４ａに近接させて塵芥収容空間２７ａの容積を最小にする一方、収縮時に塵芥収容空間２７ａの容積を増大変更するようになされている。
【００１９】
さらに、図３にも示すように、上記昇降板１５の上昇位置（図１に示す二点鎖線位置）においてその前面に対応する上記塵芥投入箱６の前面略中央部は、昇降板１５の前面に沿って塵芥投入箱６の左右両側壁間に横設された遮蔽板３１によって遮蔽されている。上記昇降板１５の前面上端には、ステー３２を介してスクレーパ３３の基部側（後部側）が取り付けられている。該スクレーパ３３は、昇降板１５の全幅に亘って連続的に延びる弾性体よりなり、その先端部側（前端部側）が昇降板１５の下降停止位置において遮蔽板３１の下端に当接していて、塵芥投入箱６の揺動時に昇降板１５を上方へ作動（掻き出し作動）させて遮蔽板３１の背部側（後部側）に溜まったごみを掻き出し、後述する開口部３４の下側部分３４ａから排出できるようにしている。
【００２０】
そして、本発明の特徴部分として、図１にも示すように、上記塵芥投入箱６の前面上部には、塵芥投入箱６の揺動時に塵芥収容箱４側との干渉を防止するための開口部３４が設けられている。該開口部３４は、塵芥投入箱６の内部上側に連通していて、遮蔽板３１の上部においてその全幅に亘って開口する略矩形状の下側部分３４ａと、遮蔽板３１の上縁と塵芥投入箱６の上部前縁との間においてその全幅に亘って設けられ、後述する蓋板３５の回動時に塵芥投入箱６側との干渉が回避されるように開口する上側部分３４ｂとからなる。上記下側部分３４ａは、その開口周縁形状に則した平らな蓋板３５により開閉されるようになっている。該蓋板３５の上端左右両側部には、上方へ突出する一対の蓋板側回動用ヒンジブラケット３６（図では一方のみ示す）の一端が取り付けられている。上記蓋板側回動用ヒンジブラケット３６は、断面略コ字状に形成されていて、その他端の断面内に上記第１枢軸５と同一軸線ｍ上を延びる第３枢軸３０が嵌挿されている。上記塵芥積込口４ａ上縁の左右両側部（収容箱側揺動用ヒンジブラケット７よりも内側）には、後方へ突出する一対の収容箱側回動用ヒンジブラケット３９（図では一方のみ示す）が設けられている。上記収容箱側回動用ヒンジブラケット３９の先端には、上記第３枢軸３０が設けられ、この第３枢軸３０を介して上記蓋板３５が上記塵芥収容箱４の上縁部に対して回動自在に支持されている。そして、上記蓋板３５は、塵芥の積み込み時に塵芥投入箱６の前面、つまり遮蔽板３１の前面上部における下側部分３４ａ周縁に対する前方からの当接により下側部分３４ａを閉塞する一方、塵芥投入箱６の揺動時に下側部分３４ａ周縁からの前方への離反により該下側部分３４ａを開放するように構成されている。上記収容箱側回動用ヒンジブラケット３９の断面内に位置する第３枢軸３０には付勢手段としてのスプリング３７が巻回されている。該スプリング３７は、その一端が蓋板側回動用ヒンジブラケット３６に、他端が収容箱側回動用ヒンジブラケット３９にそれぞれ固定されており、上記塵芥投入箱６の揺動動作と連動して蓋板３５をスプリング３７の付勢力により後方へ回動させるように付勢している。このスプリング３７の付勢力は、塵芥投入箱６の揺動時にその全開状態での揺動角度（例えば８０°）のほぼ半分の角度（例えば４０°弱）位置つまり塵芥投入箱６の揺動動作のほぼ中間位置まで蓋板３５を後方に回動させた時点で停止させるように設定されている。この場合、スプリング３７の付勢力は、塵芥投入箱６の揺動動作途中位置に蓋板３５が位置しているときに均衡している。
【００２１】
一方、上記開口部３４の上側部分３４ｂには、該上側部分３４ｂを遮蔽する補助板４０が設けられている。該補助板４０は、上記塵芥収容箱４の上縁後端より後方に突出する収容箱側補助板４１と、上記蓋板３５の上端より上記収容箱側補助板４１の先端部に向かって上方に突出する蓋板側補助板４２と、上記遮蔽板３１の上端より上記収容箱側補助板４１の先端に向かって上方に突出し、塵芥投入箱６の前面上縁の円弧形状に則するように、上辺を直線で繋ぎ合わせた断面略Ｌ字状の投入箱側補助板３８とからなる。
【００２２】
上記投入箱側補助板３８は、塵芥投入箱６の揺動時に塵芥投入箱６側、塵芥収容箱４側および蓋板３５側の各ヒンジブラケット７，８，３６，３９と干渉しない非干渉部分、つまり収容箱側揺動用ヒンジブラケット７（投入箱側揺動用ヒンジブラケット８）よりも内方において収容箱側回動用ヒンジブラケット３９（蓋板側回動用ヒンジブラケット３６）よりも外側で上側部分３４ｂの側部を遮蔽する左右一対の側部補助板材３８ａ（図では一方のみ示す）と、左右の収容箱側回動用ヒンジブラケット３９間で上側部分３４ｂの中央部を遮蔽する中央補助板材３８ｂとに３分割されてなる。また、上記収容箱側補助板４１および蓋板側補助板４２も同様に収容箱側回動用ヒンジブラケット３９よりも外側で上側部分３４ｂの側部を遮蔽する左右一対の側部補助板材４１ａ，４２ａ（図ではそれぞれ一方のみ示す）と、左右の収容箱側回動用ヒンジブラケット３９間で上側部分３４ｂの中央部を遮蔽する中央補助板材４１ｂ，４２ｂとに３分割されてなる。
【００２３】
ここで、塵芥積込時から塵芥排出時までの蓋板３５の動きについて説明する。
【００２４】
先ず、塵芥積込時においては、スプリング３７の付勢力が均衡する位置で停止している蓋板３５が、開口部３４の下側部分３４ａの周縁（遮蔽板３１の前面上部）に対して前方から当接し、この状態で塵芥投入箱６を塵芥積込可能な閉塞位置までスプリング３７の付勢力に抗して蓋板３５を前方に回動させ、この前方への回動位置で開口部３４の下側部分３４ａを蓋板３５により閉塞する（図１に実線で示す状態）。
【００２５】
この状態から塵芥排出時の塵芥排出可能な開放状態に塵芥投入箱６を揺動させると、蓋板３５は、スプリング３７の付勢力により塵芥投入箱６の揺動動作に連動して塵芥投入箱６の揺動動作のほぼ中間位置まで後方に回動した時点で、スプリングの付勢力が均衡して停止する（図１に一点鎖線で示す状態）。この状態からさらに開放方向に揺動する塵芥投入箱６に対し、蓋板３５が遮蔽板３１の前面上部から前方に離れて開口部３４の下側部分３４ａを開放するように離反する。このとき、塵芥収容箱４内から排出される大量の塵芥との接触により、蓋板３５は、スプリング３７の付勢力に抗して後方に回動して開口部３４の下側部分３４ａの周縁に当接し（図１に二点鎖線で示す状態）、蓋板３５が塵芥積込口４ａを遮って邪魔することなく、塵芥収容箱４内から塵芥積込口４ａを介した大量の塵芥が円滑に排出されるようにしている。また、この塵芥収容箱４内から排出される塵芥に蓋板３５が接触しないときには、蓋板３５は、スプリング３７の付勢力により塵芥投入箱６の揺動動作のほぼ中間位置まで戻って停止し、塵芥投入箱６内に入り込んだ塵芥が開口部３４の下側部分３４ａを介して蓋板３５により案内されて塵芥投入箱６内から円滑に排出される。
【００２６】
したがって、上記第１の実施の形態では、塵芥積込時に遮蔽板３１の前面上部における開口部３４の下側部分３４ａ周縁との前方からの当接によりこの下側部分３４ａを閉塞する蓋板３５は、塵芥投入箱６の揺動時に下側部分３４ａ周縁からの前方への離反により該下側部分３４ａを開放させるので、塵芥投入箱６の揺動時に蓋板の先端と下側部分の下縁との間に隙間を形成する必要がなくなって、塵芥積込時に逆流する塵芥の大半（大量の塵芥）が下側部分３４ａから塵芥投入箱６内に入り込むことが阻止されると共に、その逆流する塵芥の残り（少量の塵芥）が狭い上側部分３４ｂを介して塵芥投入箱６内に入り込もうとしても補助板４０（収容箱側補助板４１、蓋板側補助板４２および投入箱側補助板３８）により阻まれることになり、塵芥投入箱６内への開口部３４を介した塵芥の入り込みを蓋板３５と相俟って効率良く効果的に阻止することができる。また、塵芥投入箱６の揺動時にその揺動動作と連動して蓋板３５がスプリング３７の付勢力でもって塵芥投入箱６の揺動動作のほぼ中間位置まで後方へ回動した時点で停止することから、蓋板３５が塵芥積込口４ａを遮って邪魔になることはなく、塵芥収容箱４内から塵芥積込口４ａを介して塵芥を円滑に排出することができる一方、塵芥積込時の逆流により上側部分３４ｂなどを介して塵芥投入箱６内に入り込んだ塵芥の残り（少量の塵芥）が塵芥投入箱６の揺動時に開放する蓋板３５により案内されて塵芥投入箱６内から円滑に排出できる。しかも、固定側となる塵芥収容箱４の上縁部の第３枢軸３０に蓋板側回動用ヒンジブラケット３６を介して蓋板３５が回動自在に支持されているので、揺動する可動側の塵芥投入箱の上縁部に対して蓋板の回動部（基部）をさらに回動状態に支持するものに比べて、蓋板３５の回動部の構造を簡単なものにすることができる。さらに、補助板４０が、蓋板側回動用ヒンジブラケット３６および収容箱側回動用ヒンジブラケット３９と干渉しない該蓋板側回動用ヒンジブラケット３６よりも外側の一対の側部補助板材３８ａ，４１ａ，４２ａと、蓋板側回動用ヒンジブラケット３６間の中央補助板材３８ｂ，４１ｂ，４２ｂとに３分割されているので、塵芥投入箱６の揺動および蓋板３５の回動を各補助板３８，４１，４２同士が干渉することなく円滑に行える。
【００２７】
次に、本発明の第２の実施の形態を図５および図６に基づいて説明する。
【００２８】
この第２の実施の形態では、２トンタイプの塵芥収集車を用いている。
【００２９】
すなわち、本形態では、図５および図６に示すように、２トンタイプの塵芥収集車では、その構成上、昇降板１５の上昇位置が４トンタイプのものよりも高位置に位置するために、塵芥投入箱６の前面上部の形状が中央部分を塵芥投入箱４側に突出させた山形状に形成され、それに倣って遮蔽板３１の上部も山形状に形成されてなる。また、開口部３４は、遮蔽板３１上部において山形状の中央部分とその上側の傾斜部分とに跨がって設けられた下側部分３４ａと、遮蔽板３１の上縁と塵芥投入箱６の上部前縁との間において蓋板３５の塵芥投入箱６側に対する干渉が回避されるように開口する上側部分３４ｂとからなる。上記蓋板３４は、遮蔽板３１の上部において山形状の中央部分とその上側の傾斜部分とに跨がる断面略への字状に形成されている。尚、開口部および蓋板を除くその他の構成は上記実施の形態の場合と同じであり、同一の部分については同一の符号を付してその詳細な説明を省略する。
【００３０】
そして、この実施の形態においても、上記第１の実施の形態と同一の作用・効果が得られる。
【００３１】
尚、本発明は上記各実施の形態に限定されるものではなく、その他種々の変形例を包含するものである。例えば、上記各実施の形態では、塵芥積込時に開口部３４を蓋板３５と補助板４０により閉塞するようにしたが、塵芥積込時に開口部の下側部分のみを蓋板で閉塞しかつ上側部分を開口させたままにするようにしても良く、この場合には、塵芥積込時の逆流による塵芥の大半が開口部の下側部分を介して塵芥投入箱内に入り込むことが効率良く阻止される一方、塵芥積込時に塵芥投入箱内に上側部分などを介して入り込んだ塵芥が塵芥投入箱の揺動時に開放する蓋板により案内されて円滑に排出される。
【００３２】
また、上記各実施の形態では、塵芥投入箱６の前面上部に下側部分３４ａおよび上側部分３４ｂからなる開口部３４を設けたが、図７および図８に示すように、遮蔽板３１の上部に下側部分を開口させずに、塵芥投入箱６の前面上部に、塵芥投入箱６の揺動時に塵芥収容箱４側との干渉を防止するために上側部分と略一致する形状の開口部５１を設け、この開口部５１を塵芥投入箱の揺動時に塵芥収容箱４側の収容箱側揺動用ヒンジブラケット７と干渉しない非干渉部分つまり左右の収容箱側揺動用ヒンジブラケット７間に配設した一枚の投入箱側補助板５２と、左右の収容箱側揺動用ヒンジブラケット７間に配設した一枚の収容箱側補助板５３とからなる遮蔽板５０により遮蔽するようにしても良く、この場合には、塵芥積込時における塵芥の大半の逆流が遮蔽板３１により確実に阻止され、狭い開口部５１を介して塵芥投入箱６内に入り込もうとする残る少量の塵芥が両補助板５２，５３により阻まれて塵芥投入箱６内への塵芥の入り込みが効果的に阻止される上、塵芥投入箱６の揺動が両補助板５２，５３同士干渉することなく円滑に行える。
【００３３】
【発明の効果】
以上の如く、請求項１記載の発明における塵芥収集車によれば、塵芥投入箱の前面への当接により開口部を閉塞する蓋板を前方に開放させることで、蓋板先端側の隙間を不要にして塵芥積込時の逆流による大半の塵芥の塵芥投入箱内への入り込みを効率良く阻止することができる。また、塵芥投入箱の揺動動作と連動して蓋板を付勢手段により塵芥投入箱の揺動動作途中位置まで後方へ回動させることで、塵芥積込口を蓋板で邪魔することなく塵芥を円滑に排出することができる一方、開口部の上側部分などを介して塵芥投入箱内に入り込んだ少量の塵芥を蓋板により案内して円滑に排出することができる。しかも、固定側の塵芥収容箱の上縁部に蓋板を回動自在に設けて蓋板の回動部の構造の簡単化を図ることもできる。さらに、塵芥投入箱の揺動時における昇降板の下降停止位置からの上方へ作動により、遮蔽板の背部側に溜まったごみを掻き出して開口部から排出することもできる。
【００３４】
請求項２記載の発明における塵芥収集車によれば、開口部の上側部分のうち、塵芥投入箱の揺動時における塵芥収容箱側および蓋板側との非干渉部分を補助板により遮蔽したので、塵芥積込時の塵芥の逆流を補助板および蓋板により阻んで塵芥投入箱内への開口部を介した塵芥の入り込みをより効率良く阻止することができるとともに、塵芥投入箱の揺動および蓋板の回動を補助板に干渉することなく円滑に行える。
【００３５】
さらに、請求項３記載の発明における塵芥収集車によれば、塵芥投入箱の前面上部の開口部のうち、塵芥収容箱側との非干渉部分を補助板により遮蔽したので、塵芥積込時の逆流による塵芥投入箱内への塵芥の入り込みを効果的に阻止することができるとともに、塵芥投入箱の揺動を補助板に干渉することなく円滑に行える。
【図面の簡単な説明】
【図１】本発明の第１の実施の形態に係る第３枢軸で切断した塵芥積込口上部付近の縦断側面図である。
【図２】同じく塵芥投入箱の左半分を前方より視た正面図である。
【図３】同塵芥投入箱の前側上部付近の縦断側面図である。
【図４】同塵芥投入箱の縦断側面図である。
【図５】本発明の第２の実施の形態に係る図１相当図である。
【図６】同じく図３相当図である。
【図７】第１の実施の形態の変形例に係る開口部付近の縦断側面図である。
【図８】第２の実施の形態の変形例に係る開口部付近の縦断側面図である。
【符号の説明】
１        塵芥収集車
２        シャーシフレーム（車体フレーム）
４        塵芥収容箱
４ａ      塵芥積込口
６        塵芥投入箱
１１        投入口
１３        塵芥積込装置
３４，５１    開口部
３４ａ      下側部分
３４ｂ      上側部分
３５        蓋板
３７        スプリング（付勢手段）
４０，５０    補助板
【図１】
0003540460.tif 000002
【図２】
0003540460.tif 000003
【図３】
0003540460.tif 000004
【図４】
0003540460.tif 000005
【図５】
0003540460.tif 000006
【図６】
0003540460.tif 000007
【図７】
0003540460.tif 000008
【図８】
0003540460.tif 000009